(57)【要約】【課題】高い防音性能を備えて、しかも通気可能な防音ドアを提供する。【解決手段】表板５には表側開口２１が形成され、裏板７には裏側開口２３が形成されており、表側開口２１と裏側開口２３は、上下方向にある程度離間した状態で中空部１５を介して連通している。吸音材４１は表板５の内側面に、吸音材４３は裏板７の内側面にそれぞれ貼設されており、吸音材４５は天板９、底板１１及び左右の側板と中空部１５との間に設けられている。空気は部屋７１の外側から表側開口２１を通って中空部１５内を下方に向かって流れ、裏側開口２３を通って部屋７１内に流れ込む。中空部１５内に進入した音は吸音材４１、４３、４５に吸収される。表側開口２１と裏側開口２３は上下方向にある程度離間して配置されているので、裏側開口２３から中空部１５へ進入した音は表側開口２１に到達する前に、吸音材４５にほとんど吸収されて消えてしまう。【選択図】        図２
2011102467.tif 000002
【特許請求の範囲】
【請求項１】
ドア本体と、前記ドア本体に形成された中空部と、前記中空部とドア本体の表面とを連通させる表側開口と、前記中空部とドア本体の裏面とを連通させる裏側開口と、前記中空部を囲む面に備えられた吸音材とからなることを特徴とする防音ドア。
【請求項２】
請求項１に記載した防音ドアにおいて、表側開口、裏側開口の一方はドア本体の高さ方向の中心より上側に備えられ、他方はドア本体の高さ方向の中心より下側に備えられていることを特徴とする防音ドア。
【請求項３】
請求項１または２に記載した防音ドアにおいて、表側開口と裏側開口には複数の羽板が互いに間隔を開け、且つ同じ方向を向く傾斜姿勢で配置されていることを特徴とする防音ドア。
【請求項４】
請求項１から３に記載した防音ドアにおいて、ドア本体の表板と裏板にそれぞれ形成され且つ互いに対向し、しかも中空部に連なる覗き窓用の開口部と、前記窓用の開口部を閉鎖する状態にそれぞれ取り付けられた透明板と、前記互いに対向する透明板の間の空間を囲む枠状体と、前記枠状体に備えられ透明板の間の空間内の湿気を吸う吸湿剤を備えたことを特徴とする防音ドア。
【発明の詳細な説明】
【技術分野】
【０００１】
本発明は防音ドアに係り、特に通気口を備えた防音ドアに関するものである。
【背景技術】
【０００２】
この種の防音ドアは特許文献１に記載されているように、ドアと開口部との隙間をパッキンによって埋めるようにしたものであって、防音性能を発揮できる代わりにドア回りの通気はほとんどないものとなる。
例えば、カラオケボックスでは建物内に比較的小さな部屋を複数造り、個々の部屋にカラオケ設備を備えており、各部屋の出入口（開口部）には防音ドアを備えている。このようなカラオケボックスでは、使用時には外部に音が漏れるのを極力抑えるため防音ドアを閉め、しかも窓も閉め切った状態とする。従って、ドア回りや窓から換気を行うことはできず、このため各部屋の壁や天井に換気扇を備えた排気口と、これとは別の吸気口とを備えている。
【先行技術文献】
【特許文献】
【０００３】
【特許文献１】特開２００５−２９９２８９号公報
【発明の概要】
【発明が解決しようとする課題】
【０００４】
しかしながら、部屋毎に換気扇を備えた排気口と、これとは別の吸気口とを備えると工事費が嵩むことになるという問題点がある。特にカラオケボックスでは一店舗当たりの部屋数が多く、部屋毎に排気口と吸気口の両方を備えた場合のコストは相当なものとなる。
本発明は上記従来の問題点に着目して為されたものであり、高い防音性能を備えて、しかも通気可能な防音ドアを提供することを、その目的とする。
【課題を解決するための手段】
【０００５】
本発明は上記課題を解決するためになされたものであり、請求項１の発明は、ドア本体と、前記ドア本体に形成された中空部と、前記中空部とドア本体の表面とを連通させる表側開口と、前記中空部とドア本体の裏面とを連通させる裏側開口と、前記中空部を囲む面に備えられた吸音材とからなることを特徴とする防音ドアである。
【０００６】
請求項２の発明は、請求項１に記載した防音ドアにおいて、表側開口、裏側開口の一方はドア本体の高さ方向の中心より上側に備えられ、他方はドア本体の高さ方向の中心より下側に備えられていることを特徴とする防音ドアである。
【０００７】
請求項３の発明は、請求項１または２に記載した防音ドアにおいて、表側開口と裏側開口には複数の羽板が互いに間隔を開け、且つ同じ方向を向く傾斜姿勢で配置されていることを特徴とする防音ドアである。
【０００８】
請求項４の発明は、請求項１から３に記載した防音ドアにおいて、ドア本体の表板と裏板にそれぞれ形成され且つ互いに対向し、しかも中空部に連なる覗き窓用の開口部と、前記窓用の開口部を閉鎖する状態にそれぞれ取り付けられた透明板と、前記互いに対向する透明板の間の空間を囲む枠状体と、前記枠状体に備えられ透明板の間の空間内の湿気を吸う吸湿剤を備えたことを特徴とする防音ドアである。
【発明の効果】
【０００９】
本発明の防音ドアでは、表側開口と裏側開口は中空部を介して連通しているのでドア本体の表側と裏側とで通気可能となり、吸気・排気口としての機能を発揮でき、しかも音は吸音材によって吸収されるので、十分な防音性能を発揮することができる。従って、防音ドアが吸気・排気口のいずれか一方の機能を発揮する結果、各部屋の壁や天井に排気口か吸気口のいずれか一方のみを備えるだけで済み、工事費を大幅に抑えることが可能となる。
【図面の簡単な説明】
【００１０】
【図１】本発明の実施の形態に係る防音ドアの斜視図である。
【図２】図１のＡ−Ａ断面図である。
【図３】図１のＢ−Ｂ断面図である。
【図４】図１のＣ−Ｃ断面図である。
【図５】図１の防音ドア１がカラオケボックスの部屋に備えられた状態を示す図である。
【発明を実施するための形態】
【００１１】
本発明の実施の形態に係る防音ドア１を図面にしたがって説明する。
符号３はドア本体を示し、このドア本体３は表板５、裏板７、天板９、底板１１及び左右の側板（図示せず）によって構成されており、ドア本体３には中空部１５が形成されている。
表板５には中空部１５と連通する表側開口２１が形成されており、この表側開口２１はドア本体３の高さ方向の中心より上側に備えられている。また裏板７には中空部１５と連通する裏側開口２３が形成されており、この裏側開口２３はドア本体３の高さ方向の中心より下側に備えられている。従って、表側開口２１と裏側開口２３は、上下方向にある程度離間した状態で中空部１５を介して連通している。
【００１２】
表側開口２１には複数の羽板３１が支持されており、これらの羽板３１は、表側の先端部が斜め下方を向く傾斜姿勢で上下方向に互いに間隔を開けて配置されている。また裏側開口２３には複数の羽板３３が支持されており、これらの羽板３３は、裏側の先端部が斜め下方を向く傾斜姿勢で上下方向に互いに間隔を開けて配置されている。これらの羽板３１、３３によって表側開口２１、裏側開口２３が完全に露出するのを防止して、ドア本体３の表面と裏面が見栄えの良い状態となっている。
【００１３】
符号４１、４３は紙原料等から成るマット状の吸音材を示し、吸音材４１、４３は高い吸音性能を有している。吸音材４１は表板５の内側面に、吸音材４３は裏板７の内側面にそれぞれ貼設されている。
符号４５はロックウールから成る吸音材を示し、吸音材４５は天板９、底板１１及び左右の側板と、中空部１５との間に設けられている。
【００１４】
また、表板５と裏板７の略中心部には、互いに対向する覗き窓５０用の開口部５１、５３が形成されており、これら開口部５１、５３は中空部１５に連なっている。また、開口部５１、５３にはガラス製の透明板５５、５７が開口部５１、５３を閉鎖する状態にそれぞれ嵌め込まれている。透明板５５と透明板５７は、厚さ寸法が異なるものが用いられている。
【００１５】
図３に示すように透明板５５、５７の縁には、透明板５５、５７の間の空間５８を囲うパンチングメタル製の仕切り板５９が固定されている。この仕切り板５９の背面（透明板５５、５７間の空間と反対側の面）側には、マット状の吸音材６０が備えられている。また吸音材６０には切り欠き部６２が形成され、この切り欠き部６２には吸湿剤（乾燥剤）６４が収容されている。更に吸音材６０外面（仕切り板５９と反対側の面）は板材６６によって覆われている。すなわち、透明板５５、５７間の空間は仕切り板５９、吸音材６０及び板材６６から成る枠状体６８によって囲まれている。
【００１６】
また、ドア本体３には図示しない防振ゴム製の防振材が備えられ、この防振材によって音（振動）を吸収して、熱エネルギーに変換することによって、高い防音性能を発揮することができるようになっている。
表板５には押し板６１が設けられており、また裏板７には図示しない把手が設けられている。
また、防音ドア１の後述するパッキン８１に対応する部位には、磁性体によって構成される図示しない被吸着部材が取り付けられている。
【００１７】
図５に防音ドア１がカラオケボックスの部屋７１に備えられた状態を示す。
符号７３は壁を示し、この壁７３には出入口用の開口部７５が形成されており、開口部７５には枠体７７が備えられている。枠体７７には戸当り部７９が形成されており、この戸当り部７９にはパッキン８１が備えられている。このパッキン８１は軟質の合成樹脂製によって構成され、チューブ状に形成されている。そして、パッキン８１内には図示しないマグネットが収容されている。
枠体７７には防音ドア１が開閉自在に取り付けられている。前述したように表側開口２１と裏側開口２３は中空部１５を介して連通しているので、防音ドア１を閉めた状態であってもドア本体３の表側と裏側とで通気可能となる。
壁７３には排気口８５が形成されており、この排気口８５には換気扇８７が備えられている。また排気口８５には排気管８９が接続されている。
【００１８】
次に、防音ドア１の使用方法について説明する。
カラオケボックスの部屋７１の外に音が漏れるのを極力抑えるために防音ドア１を閉める。前述したように戸当り部７９には、マグネットが収容されたパッキン８１が備えられており、しかも防音ドア１のパッキン８１に対応する部位には、被吸着部材が取り付けられているので、被吸着部材がマグネットによって吸着されて、防音ドア１の縁とパッキン８１が密着する。これにより、防音ドア１の縁とパッキン８１との間がほぼ完全に閉鎖され、防音ドア１の縁とパッキン８１との間から音が漏れるのを防止することができる。
換気のために換気扇８７を作動させると、空気は部屋７１の外側から表側開口２１を通って中空部１５内を下方に向かって流れ、裏側開口２３を通って部屋７１内に流れ込む。部屋７１内の空気は排気口８５に向かって吸い込まれて、排気管８９を通って部屋７１の外へ排出される。
【００１９】
また、部屋７１内で発生した音は壁７３や防音ドア１等に向かって進む。上記したようにパッキン８１が防音ドア１の縁に密接しているので、音が防音ドア１の縁と開口部７５との間から部屋７１の外へ漏れることがない。
音の一部は図２の仮想線の矢印に示すように裏側開口２３から中空部１５内に進入する。しかし、前述したように吸音材４１が表板５の内側面に、吸音材４３が裏板７の内側面にそれぞれ貼設されており、また吸音材４５が天板９、底板１１及び左右の側板と、中空部１５との間に設けられているので、中空部１５内に進入した音は吸音材４１、４３、４５に吸収される。しかも、表側開口２１と裏側開口２３は上下方向にある程度離間して配置されているので、裏側開口２３から中空部１５へ進入した音は表側開口２１に到達する前に、吸音材４５に吸収されて消えてしまう。従って、音が表側開口２１から部屋７１の外へ漏れることがない。
【００２０】
また、防音ドア１は中空部を有さない従来の防音ドアより高い防音性能を発揮できる。すなわち、防音ドア１の表板５側、裏板７側のいずれにおいて発生した音（振動）も、中空部１５内において乱反射し、その間に吸音材４１、吸音材４３及び吸音材４５によって減衰され、且つ吸収されて消えてしまう。このような防音ドア１は音を中空部１５内において乱反射させる機能を有するので、中空部を有さない従来の防音ドアより高い防音性能を発揮することが可能である。
【００２１】
このように防音ドア１は吸気口としての機能を発揮できるので、部屋毎に排気口８５とは別の吸気口を備える必要がない。従って、工事費を低く抑えることができる。しかも音が吸音材４１、４３、４５によって吸収されるので、十分な防音性能を発揮することができる。
【００２２】
また、防音ドア１は覗き窓５０が設けられているので、覗き窓５０からカラオケボックスの部屋７１の様子を見ることができる。
枠状体６８には吸湿剤（乾燥剤）６４が備えられているので、この吸湿剤（乾燥剤）６４によって透明板５５、５７の間の空間５８に湿気が浸入しても、湿気はパンチングメタル製の仕切り板５９の穴を通って吸湿剤に吸われる。これにより透明板５５、５７が曇るのを防止することができる。
透明板５５の厚さ寸法は５ｍｍ、透明板５７の厚さ寸法は３ｍｍであり、厚さ寸法が異なっているので、共鳴を防止することが可能である。
【００２３】
以上、本発明の実施の形態について詳述してきたが、具体的構成は、この実施の形態に限られるものではなく、本発明の要旨を逸脱しない範囲における設計の変更などがあっても発明に含まれる。
上記実施の形態では、吸音材４１、４３を紙原料等によって構成し、また吸音材４５をロックウールによって構成したが、吸音材をグラスウール等の他の材料で構成してもよい。
上記実施の形態では、表側開口２１をドア本体３の高さ方向の中心より上側に備え、また裏側開口２３をドア本体３の高さ方向の中心より下側に備えたが、表側開口２１と裏側開口２３の位置関係を上下逆に構成してもよい。
【００２４】
上記実施の形態では、防音ドア１に吸気口としての機能を発揮させたが、例えば排気口８５を吸気口として、防音ドア１に排気口としての機能を発揮させてもよい。
上記実施の形態では、防音ドア１をカラオケボックスに備えたが、防音ドア１を音楽スタジオ等に備えてもよい。
上記実施の形態では、ドア本体３に開口部５１、５３、透明板５５、５７及び仕切り板５９を設けたが、ドア本体３に開口部５１等を設けなくてもよい。
【産業上の利用可能性】
【００２５】
本発明は、ドア等の建具の製造業に利用可能である。
【符号の説明】
【００２６】
１…防音ドア      ３…ドア本体      ５…表板
７…裏板      ９…天板      １１…底板
１５…中空部      ２１…表側開口      ２３…裏側開口
３１、３３…羽板      ４１、４３…吸音材      ４５…吸音材
５１、５３…開口部      ５５、５７…透明板
５９…仕切り板      ６１…押し板
７１…部屋      ７３…壁      ７５…開口部
７７…枠体      ７９…戸当り部      ８１…パッキン
８５…排気口      ８７…換気扇      ８９…排気管
５８…透明板の間の空間
６０…マット状の吸音材      ６２…（マット状の吸音材）の切り欠き部
６４…吸湿剤（乾燥剤）      ６６…板材      ６８…枠状体
【図１】
2011102467.tif 000003
【図２】
2011102467.tif 000004
【図３】
2011102467.tif 000005
【図４】
2011102467.tif 000006
【図５】
2011102467.tif 000007